(57)【特許請求の範囲】
【請求項１】
第一粉体搬送路と第二粉体搬送路とが粉体受け渡し部で直交して設けられ、前記第一粉体搬送路に第一粉体搬送部材が、前記第二粉体搬送路に第二粉体搬送部材が備えられて、前記第一粉体搬送部材により搬送された粉体が、前記粉体受け渡し部の口部を通して前記第二粉体搬送路に入れられ、前記第二粉体搬送部材で引き続き搬送される粉体搬送装置において、
前記第二粉体搬送部材の上流端が軸なしのコイル形状とされて、その外径が前記粉体受け渡し部の口部の大きさよりも大きくつくられ、前記第二粉体搬送部材の上流端に前記粉体受け渡し部の不動の口部に押し当てる押し当て部が設けられ、前記第二粉体搬送部材の上流端に前記押し当て部から突出されて、前記粉体受け渡し部の口部を通過して前記第一粉体搬送路に入り込む細径の自由端部が形成されていることを特徴とする粉体搬送装置。
【請求項２】
請求項１に記載の粉体搬送装置が備えられ、前記粉体としてトナーが使用されていることを特徴とする画像形成装置。
【請求項３】
前記粉体として廃トナーが使用されていることを特徴とする、請求項２に記載の画像形成装置。
【請求項４】
前記粉体として重合トナーが使用されていることを特徴とする、請求項２に記載の画像形成装置。
【請求項５】
トナーを付着する像担持体に潤滑剤が塗布されることを特徴とする、請求項２ないし４のいずれか１に記載の画像形成装置。
【発明の詳細な説明】
【技術分野】
【０００１】
この発明は、複写機、プリンタ、ファクシミリまたはそれらの複合機などの画像形成装置に関する。そのうち特に、像担持体上に形成したトナー画像が直接または中間転写体を介して間接的に転写されて、シート・樹脂フィルム等の記録媒体に画像が記録される画像形成装置に関する。および、画像形成装置などにおいて、第一粉体搬送部材により搬送されたトナーなどの粉体が、粉体受け渡し部の口部を通して第二粉体搬送路に入れられ、第二粉体搬送部材で引き続き搬送される粉体搬送装置に関する。
【背景技術】
【０００２】
昨今、電子写真方式を用いた画像形成装置では、カラー化や高速化が進み、４連タンデム方式のものが主流となってきている。しかしながら、４連タンデム方式の画像形成装置では、感光体、帯電装置、現像装置、クリーニング装置などを備える作像ステーションをタンデム式に４つ並べて備えるとともに、間接転写の場合にはトナー画像をいったん担持する中間転写体を必要とし、また直接転写の場合には記録媒体を搬送する搬送ベルトなどを必要とすることから、大型化して、省スペース化、小型化を図ることが大きな問題となっている。
【０００３】
また、このような４連タンデム方式の画像形成装置では、４つの作像ステーションの他に、中間転写ベルトや搬送ベルトなどからも廃トナーを発生することから、トナー回収経路が複雑化するとともに、廃トナー量も増加して廃トナー容器の設置スペースが大きくなって、この点からも大型化して、省スペース化、小型化を図ることが大きな問題となっている。
【０００４】
ところで、電子写真式の画像形成装置では、記録媒体にトナー画像転写後、像担持体である感光体や中間転写体上に残留するトナーをクリーニング装置で除去して像担持体表面を除電するなどし、像担持体に対する再度の画像担持に備えている。一方、クリーニング装置で除去した残留トナーは、クリーニング装置から粉体搬送装置で搬送し、廃棄すべく廃トナー容器に回収したり、リサイクル使用すべく現像装置に戻したりしていた。
【０００５】
そこで、従来機では、搬送スクリュ、搬送コイル等の搬送部材が、あらゆる搬送経路に設けられて、トナーの滞留が防止されてきた。しかしながら、これらの方法では、粉体受け渡し部でのトナーの撹拌が十分ではなく、流動性が悪いトナーの場合や高温高湿環境化では、粉体受け渡し部でトナーの滞留が発生して、トナーブロッキング等の問題の発生を十分に防止し切れていなかった。特に、トナー搬送部材として、トナー搬送コイルを用いる場合には、トナー搬送コイルが回転時、摺動抵抗により伸びたり、縮んだりして、コイル長が安定しないために、トナー搬送部材同士を十分に接近させることができず、粉体受け渡し部でトナーの滞留を発生させることがあった。
【０００６】
このような問題を解決するために、従来のトナー搬送装置の中には、例えば図５（Ａ）および（Ｂ）に示すように、第一粉体搬送路１と第二粉体搬送路２とが粉体受け渡し部３で直交して設けられ、第一粉体搬送路１に第一粉体搬送部材である搬送スクリュ４が、第二粉体搬送路２に第二粉体搬送部材である搬送コイル５が備えられて、搬送スクリュ４により搬送された粉体が、粉体受け渡し部３の口部６を通して第二粉体搬送路２に入れられ、搬送コイル５で引き続き搬送されるものがある。
【０００７】
【特許文献１】特開２００６−１９５３４９号公報
【発明の開示】
【発明が解決しようとする課題】
【０００８】
ところが、このような図５に示すトナー搬送装置においても、搬送スクリュ４から搬送コイル５へトナーを受け渡す場合、トナー搬送コイル５が回転すると、摺動抵抗等により、コイル長が伸びて、その伸びが大きくなると、搬送コイル５の先端が搬送スクリュ４に接触して巻き付き等を発生することがあり、コイル自由長のばらつきやコイルの回転抵抗ばらつきによるコイル伸び量のばらつきにより、コイル長が安定せずに、搬送コイル５の先端を搬送スクリュ４に十分近づけることができずに、特に、流動性の悪いトナーが搬送される場合や、高温高湿環境下では、トナー滞留やトナーブロッキングを発生させる問題があった。
【０００９】
そこで、この発明の目的は、装置の大型化を招くことなく、第一粉体搬送路から第二粉体搬送路への粉体受け渡し部において、粉体の滞留を防いで粉体詰まりをなくし、粉体ブロッキングの発生を防止することにある。
【課題を解決するための手段】
【００１０】
このような目的を達成するため、請求項１に記載の発明は、第一粉体搬送路と第二粉体搬送路とが粉体受け渡し部で直交して設けられ、前記第一粉体搬送路にトナー搬送スクリュ等の第一粉体搬送部材が、前記第二粉体搬送路にトナー搬送コイル等の第二粉体搬送部材が備えられて、前記第一粉体搬送部材により搬送された粉体が、前記粉体受け渡し部の口部を通して前記第二粉体搬送路に入れられ、前記第二粉体搬送部材で引き続き搬送される粉体搬送装置において、前記第二粉体搬送部材の上流端が軸なしのコイル形状とされて、その外径が前記粉体受け渡し部の口部の大きさよりも大きくつくられ、前記第二粉体搬送部材の上流端に前記粉体受け渡し部の不動の口部に押し当てる押し当て部が設けられ、前記第二粉体搬送部材の上流端に前記押し当て部から突出されて、前記粉体受け渡し部の口部を通過して前記第一粉体搬送路に入り込む、第二粉体搬送部材の本体部より細径の自由端部が形成されていることを特徴とする。
【００１２】
請求項２に記載の発明は、請求項１に記載の粉体搬送装置が備えられ、前記粉体としてトナーが使用されていることを特徴とする、プリンタ、コピー、ファクシミリなどの画像形成装置である。
【００１３】
請求項３に記載の発明は、請求項２に記載の画像形成装置において、前記粉体として、作像部や画像転写部などから回収された廃トナーが使用されていることを特徴とする。
【００１４】
請求項４に記載の発明は、請求項２に記載の画像形成装置において、前記粉体として重合トナーが使用されていることを特徴とする。
【００１５】
請求項５に記載の発明は、請求項２ないし４のいずれか１に記載の画像形成装置において、トナーを付着する像担持体に潤滑剤が塗布されることを特徴とする。
【発明の効果】
【００１７】
請求項１に記載の発明によれば、第二粉体搬送部材の上流端が軸なしのコイル形状とされて、その外径が粉体受け渡し部の口部の大きさよりも大きくつくられ、第二粉体搬送部材の上流端に粉体受け渡し部の口部に押し当てる押し当て部が設けられているので、押し当て部を粉体受け渡し部の口部に押し当てた状態で第二粉体搬送部材が回転し、コイル形状の第二粉体搬送部材が摺動抵抗により伸びようとしても、粉体受け渡し部の口部から中に入り込んで第一粉体搬送部材と接触するようなことはなく、しかし第二粉体搬送部材の上流端を第一粉体搬送部材に十分に接近させることができ、装置の大型化を招くことなく、第一粉体搬送路から第二粉体搬送路への粉体受け渡し部にあって、特に流動性の悪い粉体を使用するときや高温高湿環境下であっても、粉体の滞留を防いで粉体詰まりをなくし、粉体ブロッキングの発生を防止することができる。しかも、第二粉体搬送部材の上流端に押し当て部から突出されて、粉体受け渡し部の口部を通過して第一粉体搬送路に入り込む細径の自由端部が形成されているので、第二粉体搬送部材の回転とともに、その自由端部をまわりの部材に接触することなく、振れながら回転し、第一粉体搬送部材により搬送されてきた粉体を大きく撹拌しながら引き続き搬送することができる。また、コイル先端と搬送経路内壁とを非接触として、異音の発生を防止することができる。
【００１９】
請求項２に記載の発明によれば、請求項１に記載の粉体搬送装置が備えられ、粉体としてトナーが使用されている画像形成装置であるので、請求項１に記載の発明の上記各効果を有する粉体搬送装置が備えられた画像形成装置を提供することができる。
【００２０】
請求項３に記載の発明によれば、粉体として、トナー流動性の悪い廃トナーが使用されていても、廃トナーを滞りなく搬送し、トナーの滞留を防いでトナー詰まりをなくし、トナーブロッキングの発生を防止することができる。
【００２１】
請求項４に記載の発明によれば、粉体として重合トナーが使用されているので、画像形成装置において、現像特性や転写性を良好にして、画像品質の向上を図るとともに、トナーの滞留を防いでトナー詰まりをなくし、トナーブロッキングの発生を防止することができる。
【００２２】
請求項５に記載の発明によれば、トナーを付着する像担持体に潤滑剤が塗布されるので、トナー流動性が一層悪くなる画像形成装置において、トナーを滞りなく搬送し、トナーの滞留を防いでトナー詰まりをなくし、トナーブロッキングの発生を防止することができる。
【発明を実施するための最良の形態】
【００２４】
以下、図面を参照しつつ、この発明の実施の最良形態につき説明する。
図１には、タンデム型フルカラー画像形成装置における内部機構の概略構成を示す。図中符号１００は画像形成装置本体、２００はその画像形成装置本体１００上に取り付ける画像読取装置である。
【００２５】
画像形成装置本体１００内には、シアン、マゼンタ、イエロ、ブラックの４つの作像ステーション１０ｃ、１０ｍ、１０ｙ、１０ｂをタンデム式に並べて設ける。各作像ステーションでは、それぞれドラム状の像担持体として感光体１１ｃ、１１ｍ、１１ｙ、１１ｂを備える。
【００２６】
そして、その図中時計まわりの回転にともない、まず各帯電装置１２ｃ、１２ｍ、１２ｙ、１２ｂでバイアス電圧を印加して表面を一様に帯電する。次いで、画像読取装置２００による読取信号に基づき共通の書込み装置１３から、それぞれレーザ光Ｌｃ、Ｌｍ、Ｌｙ、Ｌｂを照射することにより書込みを行い、感光体１１ｃ、１１ｍ、１１ｙ、１１ｂ上に静電潜像を形成する。そののち、各現像装置１４ｃ、１４ｍ、１４ｙ、１４ｂで、粉体であるトナーを付着してその静電潜像を可視像化し、感光体１１ｃ、１１ｍ、１１ｙ、１１ｂ上に各々、各色単色画像を形成する。
【００２７】
また、感光体１１ｃ、１１ｍ、１１ｙ、１１ｂに接触して無端ベルト状の中間転写体１５を図中反時計まわりに走行し、各一次転写装置１６ｃ、１６ｍ、１６ｙ、１６ｂにより感光体１１ｃ、１１ｍ、１１ｙ、１１ｂ上の各色単色画像をシアンから順に中間転写体１５上に一次転写し、転写画像を重ね合わせて中間転写体１５上にフルカラー画像を形成する。
【００２８】
一方、オペレータのパネル操作やホストからのプリント信号などに基づき、適宜タイミングで給送ローラ２０の１つを選択的に回転し、画像形成装置本体１００内の、対応する給紙カセット２１から記録媒体Ｐを繰り出し、記録媒体搬送路２３を通して搬送して一対のレジストローラ２４間に突き当てて止める。そして、中間転写体１５上のフルカラー画像にタイミングを合わせて一対のレジストローラ２４を回転し、二次転写装置２５によりそのフルカラー画像を記録媒体Ｐに二次転写する。そののち、フルカラー画像転写後の記録媒体Ｐを記録媒体搬送路２３を通してそのままさらに上方へと搬送し、定着装置２２の定着ニップを通過するとき未定着転写トナーを記録媒体Ｐに定着し、排出ローラ２６で排出して画像形成装置本体１００上の排紙スタック装置２７上にスタックする。
【００２９】
一次転写終了後の各感光体１１ｃ、１１ｍ、１１ｙ、１１ｂは、一次クリーニング装置１７ｃ、１７ｍ、１７ｙ、１７ｂでクリーニングして残トナーを除去する。また、二次転写終了後の中間転写体１５は、二次クリーニング装置１８でクリーニングして残トナーを除去する。
【００３０】
図中符号２８ｃ、２８ｍ、２８ｙ、２８ｂは、それぞれ不図示の粉体搬送装置を用いて各色現像装置１４ｃ、１４ｍ、１４ｙ、１４ｂにトナーを補給する各色トナーボトルである。
【００３１】
さて、図示画像形成装置で記録媒体Ｐの表裏両面に画像を記録するときは、定着装置２２を通過した片面記録済みの記録媒体Ｐを不図示の切換爪で切り換えて画像形成装置本体１００から両面ユニット９２に入れ、スイッチバック路９３でスイッチバックして表裏反転してから再給紙路９４を通して再び画像形成装置本体１００に入れ、二次転写位置へと再給紙し、別途中間転写体１５上に形成した画像を転写して裏面にも画像を記録して後、排出ローラ２６で排紙スタック装置２７に排出する。
【００３２】
ところで、この例では、図２に示すように、１つのカートリッジケース３１に、感光体１１とともに、帯電装置１２、現像装置１４、クリーニング装置１７、不図示の除電装置などのプロセス手段を組付けて一体化し、プロセスカートリッジ３０を構成する。そして、画像形成装置本体１００に対して一括して着脱自在とする。これにより、全体をまとめて小型化するとともに、感光体１１に対する各プロセス手段の位置精度を向上し、また個々の部品等の不具合をプロセスカートリッジ３０の修理や交換で対応するようにし、着脱を容易としてメンテナンス性を向上する。各作像ステーション１０ｃ、１０ｍ、１０ｙ、１０ｂにおいては、異なる色のトナーを用いるだけで、それぞれ同一構成のプロセスカートリッジ３０を用いている。
【００３３】
ここで、プロセスカートリッジ３０には、感光体１１とともに、帯電装置１２、現像装置１４、クリーニング装置１７、不図示の除電装置などのすべてのプロセス手段を一体的に設ける必要はなく、この発明によるプロセスカートリッジでは、感光体１１とともに、いくつかのプロセス手段を一体的に設けるようにすればよい。
【００３４】
なお、帯電装置１２、現像装置１４、クリーニング装置１７などの各プロセス手段をそれぞれモジュール化し、プロセスカートリッジ３０ごと交換できるとともに、プロセスカートリッジ３０を画像形成装置本体１００から取り外した状態においてモジュール単位で交換できるようにしてもよい。このようにすると、使い勝手がよく、使えるプロセス手段をプロセスカートリッジ３０の寿命とともに廃棄することによる資源の無駄使いを防ぐことができる。
【００３５】
図２に示すように、図示例のクリーニング装置１７は、プロセスカートリッジ３０のカートリッジケース３１にブレードホルダ３２を取り付け、そのブレードホルダ３２でクリーニングブレード３３の基端を支持し、クリーニングブレード３３の先端を感光体１１の外周面に押し当てる。カートリッジケース３１には、またマイラ（登録商標）フィルム等の樹脂フィルム３４の基端を取り付け、先端を同じく感光体１１の外周面に軽く押し当ててなる。カートリッジケース３１内には、回収トナー収納空間３６を形成する。その回収トナー収納空間３６には、第一粉体搬送部材３５を回転自在に設ける。
【００３６】
そして、感光体１１の回転とともに、感光体１１上に残留するトナーをクリーニングブレード３３で掻き落として除去し、掻き落としたトナーが飛散することを樹脂フィルム３４で防止しながら、掻き落としたトナーを回収トナー収納空間３６に収納する。回収トナー収納空間３６に収納したトナーは、詳しくは後述する粉体搬送装置４０で搬送し、第一粉体搬送部材３５でクリーニング装置１７の片側に集めてそこからカートリッジケース３１外へ排出し、この例では、廃棄すべく、図１に示す下方の廃トナー容器３７へと搬送する。混色のおそれがなければ、リサイクル使用すべく、現像装置１４へと戻すようにしてもよい。
【００３７】
図３（Ａ）および（Ｂ）には、図１に示すフルカラー画像形成装置において、クリーニング装置１７で回収したトナーを廃トナー容器３７へと搬送する粉体搬送装置４０を示し、図３（Ａ）には、その粉体搬送装置４０で用いる第一粉体搬送部材３５と第二粉体搬送部材４５の配置構成を、（Ｂ）には、その粉体搬送装置４０における第一粉体搬送路４１から第二粉体搬送路４４への粉体受け渡し部Ｕの概略構成を示す。
【００３８】
プロセスカートリッジ３０のカートリッジケース３１には、回収トナー収納空間３６に、クリーニング装置１７で回収したトナーを搬送してクリーニング装置１７の片側に集める第一粉体搬送路４１を形成してなる。第一粉体搬送路４１は、カートリッジケース３１にあけた粉体受け渡し部Ｕの口部４２につながっている。口部４２は、図示するような円形の開口でもよいし、矩形その他の開口であってもよい。そして、第一粉体搬送路４１には、カートリッジケース３１で軸受けして、真っ直ぐなスクリュ状の第一粉体搬送部材３５が備えられている。
【００３９】
粉体受け渡し部Ｕの口部４２位置には、パイプ部材４３の一端が接続されている。パイプ部材４３の内径Ｄ１は、口部４２の口径ｄよりも大きくつくられ、口部４２の周縁がパイプ部材４３の内周から内向きに突出している。パイプ部材４３内には、湾曲する第二粉体搬送路４４が形成され、粉体受け渡し部Ｕの口部４２を介して第一粉体搬送路４１に連通しており、第一粉体搬送路４１と第二粉体搬送路４４とが粉体受け渡し部Ｕで直交して設けられる。
【００４０】
そのような第二粉体搬送路４４には、第二粉体搬送部材４５が備えられている。第二粉体搬送部材４５は、軸がないコイル形状とされ、その外径Ｄ２が粉体受け渡し部Ｕの口部４２の口径ｄよりも大きくつくられ、第二粉体搬送部材４５の上流端に、粉体受け渡し部Ｕの口部４２を押し当てる押し当て部４５ａが設けられる。そして、上流端の軸線Ｌ２を第一粉体搬送部材３５の下流端の軸線Ｌ１に直交して垂直方向下向きに設ける。
【００４１】
これにより、図示粉体搬送装置４０では、第一粉体搬送部材３５と第二粉体搬送部材４５をそれぞれ回転し、回収トナー収納空間３６に収納したトナーを、まず第一粉体搬送部材３５で第一粉体搬送路４１を通して矢示方向に搬送し、クリーニング装置１７の片側に集め、カートリッジケース３１の粉体受け渡し部Ｕの口部４２から重力に基づき自然落下して第二粉体搬送路４４に受け渡す。そして、第一粉体搬送部材３５により搬送されてきたトナーを撹拌しながら引き続き矢示方向に搬送し、パイプ部材４３の不図示の排出口から、図１に示す下方の廃トナータンク３７へと排出する。
【００４２】
したがって、押し当て部４５ａを粉体受け渡し部Ｕの口部４２に押し当てた状態で第二粉体搬送部材４５が回転し、コイル形状の第二粉体搬送部材４５が摺動抵抗により伸びようとしても、粉体受け渡し部Ｕの口部４２から中に入り込んで第一粉体搬送部材３５と接触するようなことはなく、しかし第二粉体搬送部材４５の上流端を第一粉体搬送部材４５に十分に接近させることができ、装置の大型化を招くことなく、第一粉体搬送路４１から第二粉体搬送路４４への粉体受け渡し部Ｕにあって、特に流動性の悪いトナーを使用するときや高温高湿環境下であっても、トナーの滞留を防いでトナー詰まりをなくし、トナーブロッキングの発生を防止することができる。
【００４３】
図４（Ａ）および（Ｂ）には、図１に示すフルカラー画像形成装置において、クリーニング装置１７で回収したトナーを廃トナー容器３７へと搬送する粉体搬送装置４０の他例を示し、図４（Ａ）には、その粉体搬送装置４０で用いる第一粉体搬送部材３５と第二粉体搬送部材４５の配置構成を、（Ｂ）には、その粉体搬送装置４０における第一粉体搬送路４１から第二粉体搬送路４４への粉体受け渡し部Ｕの概略構成を示す。
【００４４】
この例では、図３に示す例と相違してパイプ部材４３の粉体受け渡し部Ｕ側の端部を細く形成して首状にくびれた口部４２が設けられ、パイプ部材４３の内部に下向きの段部ｉが形成される。そして、その口部４２の段部ｉに、コイル形状の第二粉体搬送部材４５の先端部に形成されている押し当て部４５ａが押し当てられている。第二粉体搬送部材４５は、同様に先端部が軸なしのコイル形状とされて、その第二粉体搬送部材４５には、粉体受け渡し部Ｕの口部４２の口径の大きさよりも大きな外径の押し当て部４５ａが設けられている。しかし、この例では、その押し当て部４５ａから細径の自由端部４５ｂが突出されて、パイプ部材４３の内面に非接触で、粉体受け渡し部Ｕの口部４２を通過して第一搬送路４１内に入り込むようになっている。
【００４５】
これにより、第二粉体搬送部材４５の回転とともに、その自由端部４５ｂをまわりの部材に接触することなく、振れながら回転し、第一粉体搬送部材３５により搬送されてきたトナーを大きく撹拌しながら引き続き搬送することができる。また、コイル先端と搬送経路内壁とを非接触とするので、異音の発生もない。
【００４６】
よって、この例でも、押し当て部４５ａを粉体受け渡し部Ｕの口部４２の段部ｉに押し当てた状態で第二粉体搬送部材４５が回転し、コイル形状の第二粉体搬送部材４５が摺動抵抗により伸びようとしても、伸びることができず、また自由端部４５ｂもまわりの部材に非接触に設けられるから伸びることはなく、第二粉体搬送部材４５が第一粉体搬送部材３５と接触するようなことはない。そして、同様にコイル長を安定させることができるので、第二粉体搬送部材４５の上流端を第一粉体搬送部材４５に十分に接近させることができ、装置の大型化を招くことなく、第一粉体搬送路４１から第二粉体搬送路４４への粉体受け渡し部Ｕにあって、特に流動性の悪いトナーを使用するときや高温高湿環境下であっても、トナーの滞留を防いでトナー詰まりをなくし、トナーブロッキングの発生を防止することができる。
【００４７】
ところで、粉体であるトナーとしては、重合トナーを使用すると、画像形成装置において、現像特性や転写性を良好にして、画像品質の向上を図るとともに、トナーの滞留を防いでトナー詰まりをなくし、トナーブロッキングの発生を防止することができる。
【００４８】
また、トナーを付着する像担持体に潤滑剤が塗布されて、トナー流動性が一層悪くなる画像形成装置において、この発明を適用すると、トナーを滞りなく搬送し、トナーの滞留を防いでトナー詰まりをなくし、トナーブロッキングの発生を防止することができる。
【図面の簡単な説明】
【００４９】
【図１】タンデム型フルカラー画像形成装置における内部機構の概略構成図である。
【図２】その画像形成装置に備えるプロセスカートリッジの構成図である。
【図３】（Ａ）および（Ｂ）には、図１に示すフルカラー画像形成装置において、クリーニング装置で回収したトナーを廃トナー容器へと搬送する粉体搬送装置を示し、（Ａ）は、その粉体搬送装置で用いる第一粉体搬送部材と第二粉体搬送部材の配置構成を、（Ｂ）は、その粉体搬送装置における第一粉体搬送路から第二粉体搬送路への粉体受け渡し部の概略構成を示す図である。
【図４】（Ａ）および（Ｂ）には、図１に示すフルカラー画像形成装置において、クリーニング装置で回収したトナーを廃トナー容器へと搬送する粉体搬送装置の他例を示し、（Ａ）は、その粉体搬送装置で用いる第一粉体搬送部材と第二粉体搬送部材の配置構成を、（Ｂ）は、その粉体搬送装置における第一粉体搬送路から第二粉体搬送路への粉体受け渡し部の概略構成を示す図である。
【図５】（Ａ）および（Ｂ）には、従来のフルカラー画像形成装置において、クリーニング装置で回収したトナーを廃トナー容器へと搬送する粉体搬送装置を示し、（Ａ）は、その粉体搬送装置で用いる第一粉体搬送部材と第二粉体搬送部材の配置構成を、（Ｂ）は、その粉体搬送装置における第一粉体搬送路から第二粉体搬送路への粉体受け渡し部の概略構成を示す図である。
【符号の説明】
【００５０】
１１    感光体
１２    帯電装置（プロセス手段）
１４    現像装置（プロセス手段）
１７    クリーニング装置（プロセス手段）
３０    プロセスカートリッジ
３５    第一粉体搬送部材
４０    粉体搬送装置
４１    第一粉体搬送路
４２    粉体受け渡し部の口部
４３    パイプ部材
４４    第二粉体搬送路
４５    第二粉体搬送部材
４５ａ  第二粉体搬送部材の押し当て部
４５ｂ  第二粉体搬送部材の自由端部
１００    画像形成装置本体
Ｌ１    第一粉体搬送部材の下流端の軸線
Ｌ２    第二粉体搬送部材の上流端の軸線
Ｕ      粉体受け渡し部
ｄ      口部の口径
Ｄ１    パイプ部材の内径
Ｄ２    第二粉体搬送部材の外径
ｉ      口部の段部
【図１】
0005376196.tif 000002
【図２】
0005376196.tif 000003
【図３】
0005376196.tif 000004
【図４】
0005376196.tif 000005
【図５】
0005376196.tif 000006